(57)【要約】      （修正有）【課題】付属品の干渉を防止するアンテナ構造をもつ装置及び電子装置を提供する。【解決手段】アンテナを備えた電子装置１０が開示される。アンテナは、アンテナ共振素子及びアンテナ接地部１０４を有する。アンテナ共振素子は、周囲導電性ハウジング構造体から形成される。周囲導電性ハウジング構造体の開口には、オーディオジャック１３４又は他のコネクタがマウントされる。オーディオジャック１３４は、アンテナ接地部１０４に重畳する。オーディオジャック１３４の接点１３８は、干渉軽減回路１７０に結合される。この干渉軽減回路１７０は、接地部１０４に結合されたキャパシタ１４６、及び接点１３８とキャパシタ１４６との間に結合されたインダクタ１４８を含む。干渉軽減回路１７０と、オーディオ回路１４２の各ポートとの間には、高周波信号ブロッキングインダクタ１４４が結合される。【選択図】図１０
0003200908.tif 000002
【実用新案登録請求の範囲】
【請求項１】
アンテナ共振素子及びアンテナ接地部から形成されたアンテナと；
接点を有し、相手コネクタを受け入れるように構成され、且つ前記アンテナ接地部に容量性結合された電気コネクタと；
前記アンテナ接地部と前記電気コネクタとの間に結合され、且つ少なくとも１つのキャパシタを含む干渉軽減回路と；
を備えた装置。
【請求項２】
前記キャパシタは、前記アンテナ接地部に結合された第１端子と、前記干渉軽減回路のノードに結合された第２端子とを有する、請求項１に記載の装置。
【請求項３】
前記干渉軽減回路は、前記ノードに結合された第１端子と、前記接点の１つに結合された第２端子とを有するインダクタを含む、請求項２に記載の装置。
【請求項４】
回路と；
前記回路と前記ノードとの間に結合された高周波信号ブロッキングインダクタと；
を更に備えた請求項３に記載の装置。
【請求項５】
前記回路は、オーディオ回路を含む、請求項４に記載の装置。
【請求項６】
前記コネクタは、オーディオジャックである、請求項５に記載の装置。
【請求項７】
前記アンテナ共振素子は、周囲導電性電子装置ハウジング構造体を含む、請求項６に記載の装置。
【請求項８】
前記周囲導電性電子装置ハウジング構造体は、前記オーディオジャックと整列された開口を有する、請求項７に記載の装置。
【請求項９】
前記アンテナ共振素子は、逆Ｆ字アンテナ共振素子を含む、請求項８に記載の装置。
【請求項１０】
前記アンテナ共振素子と前記アンテナ接地部との間に結合された調整可能なインダクタを更に備えた、請求項９に記載の装置。
【請求項１１】
前記コネクタの接点は、第１接点及び第２接点を含み、前記干渉軽減回路は、少なくとも第１及び第２のインダクタを含み、前記第１インダクタは、前記第１接点に接続され、そして前記第２インダクタは、前記第２接点に接続される、請求項１に記載の装置。
【請求項１２】
前記キャパシタは、１組の第１及び第２キャパシタのうちの１つであり、その第１キャパシタは、第１ノードにおいて第１インダクタに接続された端子を有し、そしてその第２のバイパスキャパシタは、第２ノードにおいて第２インダクタに接続された端子を有する、請求項１１に記載の装置。
【請求項１３】
第１及び第２ポートを有するオーディオ回路と；
前記第１ポートと第１ノードとの間に結合された第３インダクタと；
前記第２ポートと第２ノードとの間に結合された第４インダクタと；
を更に備えた請求項１２に記載の装置。
【請求項１４】
前記コネクタは、少なくとも３つの接点を有するオーディオジャックを含む、請求項１３に記載の装置。
【請求項１５】
導電性ハウジング構造体と；
前記導電性ハウジング構造体の少なくとも一部分を含むアンテナ共振素子、及びアンテナ接地部から形成されたアンテナと；
前記導電性ハウジング構造体の開口にマウントされるオーディオコネクタであって、接点を有するオーディオコネクタと；
ポートを有するオーディオ回路と；
ノードにおいて接続され且つ前記ポートと接点との間に直列に結合された第１及び第２のインダクタと；
前記ノードに結合されたキャパシタと；
を備えた電子装置。
【請求項１６】
前記キャパシタは、前記ノードに接続された第１端子と、前記アンテナ接地部に接続された第２端子とを有する、請求項１５に記載の電子装置。
【請求項１７】
前記アンテナ共振素子は、ギャップによってアンテナ接地部から分離された逆Ｆ字アンテナ共振素子であり、前記電子装置は、前記逆Ｆ字アンテナ共振素子とアンテナ接地部との間でギャップを横切って結合された調整可能なインダクタを更に備えた、請求項１６に記載の電子装置。
【請求項１８】
前記第１及び第２のインダクタは、同調可能なインダクタである、請求項１５に記載の電子装置。
【請求項１９】
開口を有する周囲導電性ハウジング構造体と；
前記開口に整列され、第１及び第２の接点を有するオーディオジャックと；
逆Ｆ字アンテナ共振素子から形成された逆Ｆ字アンテナ部分及びアンテナ接地部を有するハイブリッド逆Ｆ字スロットアンテナであって、前記逆Ｆ字アンテナ共振素子は、前記周囲導電性ハウジング構造体から形成され、このハイブリッド逆Ｆ字スロットアンテナは、前記逆Ｆ字型アンテナ共振素子と前記アンテナ接地部との間の開口から形成されたスロットアンテナ部分を有し、且つこのハイブリッド逆Ｆ字スロットアンテナは、前記逆Ｆ字アンテナ部分及びスロットアンテナ部分の両方にフィードするアンテナフィードを有するものであるハイブリッド逆Ｆ字スロットアンテナと；
前記アンテナ接地部に結合された第１端子を有し且つ第２端子を有する第１キャパシタと；
前記第１接点に結合された第１端子を有し且つ前記第１キャパシタの第２端子に結合された第２端子を有する第１インダクタと；
前記アンテナ接地部に結合された第１端子を有し且つ結合された第２端子を有する第２キャパシタと；
前記第２接点に結合された第１端子を有し且つ前記第２キャパシタの第２端子に結合された第２端子を有する第２インダクタと；
を備えた電子装置。
【請求項２０】
前記オーディオジャックは、前記アンテナ接地部に重畳する部分を有し、そして前記電子装置は、更に、
第１及び第２ポートを有するオーディオ回路と；
前記第１ポートと前記第１キャパシタの第２端子の間に結合された第３インダクタと；
前記第２ポートと前記第２キャパシタの第２端子の間に結合された第４インダクタと；を備えた請求項１９に記載の電子装置。
【考案の詳細な説明】
【技術分野】
【０００１】
関連出願の相互参照：本出願は、２０１４年９月３日に出願された米国特許出願第１４／４７６，４５３号の優先権を主張するもので、これは、参考としてここにそのまま援用される。
【０００２】
本考案は、一般的に、電子装置に関するもので、より詳細には、付属品の干渉を防止するアンテナ構造を備えた電子装置に関する。
【背景技術】
【０００３】
電子装置は、しばしば、アンテナを備えている。例えば、セルラー電話、コンピュータ及び他の装置は、しばしば、ワイヤレス通信をサポートするためのアンテナを収容している。
【０００４】
望ましい属性を伴う電子装置アンテナ構造体を形成することが課題となっている。あるワイヤレス装置では、導電性のハウジング構造体が存在すると、アンテナの性能に影響を及ぼす。ハウジング構造体が適切に構成されずに、アンテナの動作と干渉する場合には、満足なアンテナ性能が得られない。装置のサイズも、性能に影響する。特に、コンパクトな装置が導電性のハウジング構造体を有するときには、コンパクトな装置において望ましい性能レベルを得ることが困難である。又、電子装置に関連して動作する付属品を受け容れるよう試みるときにも課題が生じる。アンテナと、付属品プラグ及びケーブル又は装置付近の他の導電性構造体との間の結合によりアンテナ性能に悪影響が及ぶ。
【考案の概要】
【考案が解決しようとする課題】
【０００５】
それ故、付属品に結合できる電子装置のような電子装置のための改良されたワイヤレス回路を提供できることが要望される。
【課題を解決するための手段】
【０００６】
アンテナを伴う電子装置が提供される。アンテナは、アンテナ共振素子、及びアンテナ接地部を有する。アンテナ共振素子は、周囲の導電性ハウジング構造体から形成される。その周囲導電性ハウジング構造体の開口にはオーディオジャック又は他のコネクタがマウントされる。オーディオジャックは、アンテナ接地部に重畳する。
【０００７】
オーディオジャックにオーディオプラグが存在するとき及びオーディオプラグが存在しないときの両方にアンテナが満足に働くことを保証するために、干渉軽減回路がオーディオジャックの接点に結合される。干渉軽減回路は、接地部に結合されたキャパシタ、及び接点とキャパシタとの間に結合されたインダクタを備えている。干渉軽減回路と、オーディオ回路の各ポートとの間には、高周波信号ブロッキングインダクタが結合される。
【図面の簡単な説明】
【０００８】
【図１】一実施形態によるワイヤレス回路を伴う規範的電子装置の斜視図である。
【図２】一実施形態による電子装置の規範的回路の概略図である。
【図３】一実施形態による規範的ワイヤレス回路の回路図である。
【図４】一実施形態による規範的逆Ｆ字アンテナの概略図である。
【図５】一実施形態により望ましい動作周波数をカバーするようにアンテナを同調するためのインダクタを伴う規範的逆Ｆ字アンテナの概略図である。
【図６】一実施形態により望ましい動作周波数をカバーするようにアンテナを同調するためのキャパシタを伴う規範的逆Ｆ字アンテナの概略図である。
【図７】本考案の一実施形態による規範的スロットアンテナを示す図である。
【図８】一実施形態による規範的なハイブリッド逆Ｆ字スロットアンテナを示す図である。
【図９】一実施形態による電子装置の相手コネクタ内に受け入れられるプラグを伴うケーブルを有する規範的付属品を示す図である。
【図１０】一実施形態により付属品のプラグが存在する中で装置内のアンテナが満足に機能するよう保証するために使用される電子装置の規範的回路を示す図である。
【図１１】一実施形態による図１０に示す形式のアンテナ及び干渉軽減回路を収容する電子装置の一部分を示す図である。
【図１２】一実施形態による規範的アンテナのための種々の動作条件及びアンテナ構成に対して動作周波数の関数としてアンテナ性能（アンテナ効率）をプロットしたグラフである。
【考案を実施するための形態】
【０００９】
図１の電子装置１０のような電子装置には、ワイヤレス通信回路が設けられる。ワイヤレス通信回路は、複数のワイヤレス通信帯域においてワイヤレス通信をサポートするのに使用される。ワイヤレス通信回路は、１つ以上のアンテナを備えている。
【００１０】
アンテナは、ループアンテナ、逆Ｆ字アンテナ、ストリップアンテナ、平坦逆Ｆ字アンテナ、スロットアンテナ、２つ以上の形式のアンテナ構造を含むハイブリッドアンテナ、又は他の適当なアンテナを含む。アンテナのための導電性構造体は、必要に応じて、導電性電子装置構造体から形成される。導電性電子装置構造体は、導電性ハウジング構造体を含む。このハウジング構造体は、電子装置の周囲にわたって延びる周囲導電性部材のような周囲構造体を含む。周囲導電性部材は、ディスプレイのような平坦構造体のためのベゼルとして働くか、装置ハウジングのための側壁構造体として働くか、及び／又は他のハウジング構造体を形成する。周囲導電性部材には、周囲導電性部材をセグメントに分割するギャップが形成される。１つ以上のセグメントは、電子装置１０のための１つ以上のアンテナを形成するのに使用される。
【００１１】
電子装置１０は、ポータブル電子装置又は他の適当な電子装置である。例えば、電子装置１０は、ラップトップコンピュータ、タブレットコンピュータ、若干小型の装置、例えば、腕時計装置、ペンダント装置、ヘッドホン装置、イヤホン装置、或いは他のウェアラブル又は小型装置、ハンドヘルド装置、例えば、セルラー電話、メディアプレーヤ、或いは他の小型ポータブル装置である。又、電子装置１０は、テレビジョン、セットトップボックス、デスクトップコンピュータ、コンピュータを一体化したコンピュータモニタ、或いは他の適当な電子装置である。
【００１２】
装置１０は、ハウジング１２のようなハウジングを備えている。時々ケースとも称されるハウジング１２は、プラスチック、ガラス、セラミック、繊維組成物、金属（例えば、ステンレススチール、アルミニウム、等）、他の適当な材料、又はこれら材料の組み合わせで形成される。ある状況において、ハウジング１２の部品は、誘電体又は他の低導電率材料から形成される。他の状況において、ハウジング１２、或いはハウジング１２を作り上げる構造体の少なくとも若干は、金属素子から形成される。
【００１３】
装置１０は、必要に応じて、ディスプレイ１４のようなディスプレイを有する。ディスプレイ１４は、例えば、容量性タッチ電極を合体するタッチスクリーンである。ディスプレイ１４は、発光ダイオード（ＬＥＤ）、有機ＬＥＤ（ＯＬＥＤ）、プラズマセル、エレクトロウェッティングピクセル、電気泳動ピクセル、液晶ディスプレイ（ＬＣＤ）コンポーネント、又は他の適当な画像ピクセル構造体から形成される。透明ガラス又はプラスチックの層のようなディスプレイカバー層は、ディスプレイ１４の表面を覆う。ボタン２４のようなボタンは、カバー層の開口を通過する。又、カバー層は、スピーカポート２６の開口のような他の開口も有する。
【００１４】
ハウジング１２は、構造体１６のような周囲ハウジング構造体を含む。構造体１６は、装置１０及びディスプレイ１４の周囲に延びる。装置１０及びディスプレイ１４が四辺の長方形である構成において、構造体１６は、対応する四辺の長方形リングを有する周囲ハウジング部材を使用して実施される（一例として）。周囲構造体１６又は周囲構造体１６の一部分は、ディスプレイ１４のためのベゼル（例えば、ディスプレイ１４の四辺全体を取り巻き、及び／又はディスプレイ１４を装置１０に保持する上で役立つ化粧飾り）として働く。又、周囲構造体１６は、必要に応じて、装置１０の側壁構造体を形成する（例えば、垂直側壁をもつ金属バンドを形成する、等により）。
【００１５】
周囲ハウジング構造体１６は、金属のような導電性材料から形成され、それ故、周囲導電性ハウジング構造体、導電性ハウジング構造体、周囲金属構造体、又は周囲導電性ハウジング部材とも称される（一例として）。周囲ハウジング構造体１６は、ステンレススチール、アルミニウム又は他の適当な材料のような金属から形成される。周囲ハウジング構造体１６を形成するのに、１つ、２つ又は３つ以上の個別の構造体を使用できる。
【００１６】
周囲ハウジング構造体１６が均一な断面を有する必要はない。例えば、周囲ハウジング構造体１６の頂部は、必要に応じて、ディスプレイ１４を位置保持する上で助けとなる内方突出リップを有する。又、必要に応じて、周囲ハウジング構造体１６の底部は、拡大リップも有する（例えば、装置１０の後面の平面に）。図１の実施例では、周囲ハウジング構造体１６は、実質的にまっすぐな垂直側壁を有する。これは、例示に過ぎない。周囲ハウジング構造体１６により形成される側壁は、カーブしてもよいし、又は他の適当な形状でもよい。ある構成では（例えば、周囲ハウジング構造体１６がディスプレイ１４のベゼルとして働くとき）、周囲ハウジング構造体１６は、ハウジング１２のリップの周りに延びる（即ち、周囲ハウジング構造体１６は、ディスプレイ１４を取り巻くハウジング１２の縁しかカバーせず、ハウジング１２の側壁の残り部分はカバーしない）。
【００１７】
必要に応じて、ハウジング１２は、導電性の後面を有する。例えば、ハウジング１２は、ステンレススチール又はアルミニウムのような金属から形成される。ハウジング１２の後面は、ディスプレイ１４に平行な平面内にある。ハウジング１２の後面が金属で形成される装置１０の構成では、周囲導電性ハウジング構造体１６の部分を、ハウジング１２の後面を形成するハウジング構造体の一体的部分として形成することが望ましい。例えば、装置１０のハウジング後壁は、平坦な金属構造体から形成され、そしてハウジング１２の左側及び右側の周囲ハウジング構造体１６の部分は、平坦金属構造体の垂直に延びる一体的金属部分として形成される。そのようなハウジング構造体は、必要に応じて、金属のブロックから加工される。
【００１８】
ディスプレイ１４は、容量性電極のアレイ、ピクセル素子をアドレスするための導電性ライン、ドライバ回路、等の導電性構造体を含む。ハウジング１２は、金属フレーム部材のような内部構造体、ハウジング１２の壁に及ぶ平坦なハウジング部材（中間プレートとも称される）（即ち、部材１６の対向する辺と辺との間に溶接されるか、さもなければ、接続される１つ以上の部品から形成された実質的に長方形のシート）、プリント回路板、及び他の内部導電性構造体を含む。装置１０の接地平面を形成するのに使用されるこれらの導電性構造体は、ディスプレイ１４の能動的エリアＡＡ（例えば、画像を表示するための回路及び他の構造体を含むディスプレイ１４の部分）の下でハウジング１２の中央部に配置される。
【００１９】
領域２２及び２０において、装置１０の導電性構造体内に開口が形成される（例えば、周囲導電性ハウジング構造体１６と、それに対向する導電性接地構造体、例えば、導電性ハウジング中間プレート又はハウジング後壁構造体、プリント回路板、及びディスプレイ１４と装置１０の導電性電気的コンポーネントとの間）。ギャップとも称されるこれらの開口は、空気、プラスチック及び他の誘電体で埋められる。
【００２０】
装置１０の導電性ハウジング構造体及び他の導電性構造体、例えば、中間プレート、プリント回路板上のトレース、ディスプレイ１４、及び導電性電子コンポーネントは、装置１０のアンテナのための接地平面として働く。領域２０及び２２の開口は、開放又は閉止スロットアンテナのスロットとして働くか、ループアンテナの導電性材料経路により取り巻かれた中央誘電体領域として働くか、アンテナ共振素子、例えば、ストリップアンテナ共振素子又は逆Ｆ字型アンテナ共振素子を接地平面から分離するスペースとして働くか、寄生アンテナ共振素子の性能に貢献するか、さもなければ、領域２０及び２２に形成されるアンテナ構造体の一部分として働く。必要に応じて、ディスプレイ１４の能動的エリアＡＡの下の接地平面の延長部及び／又は装置１０の他の金属構造体は、領域２０及び２２の誘電体充填開口の部分へと延びる部分を有する。
【００２１】
一般的に、装置１０は、適当な数（例えば、１つ以上、２つ以上、３つ以上、４つ以上、等）のアンテナを備えている。装置１０のアンテナは、細長い装置ハウジングの互いに逆の第１及び第２の端（例えば、図１の装置１０の端２０及び２２）に、装置ハウジングの１つ以上の縁に沿って、装置ハウジングの中央部に、他の適当な位置に、又はそのような位置の１つ以上に、配置される。図１の配置は、例示に過ぎない。
【００２２】
周囲ハウジング構造体１６の部分には、ギャップ構造体が設けられる。例えば、周囲ハウジング構造体１６には、図１に示すように、ギャップ１８のような１つ以上のギャップが設けられる。周囲ハウジング構造体１６のギャップには、誘電体、例えば、ポリマー、セラミック、ガラス、空気、他の誘電体材料又はそれら材料の組み合わせが充填される。ギャップ１８は、周囲ハウジング構造体１６を１つ以上の周囲導電性セグメントへと分割する。例えば、周囲ハウジング構造体１６には、２つの周囲導電性セグメントがあり（例えば、２つのギャップを伴う構成）、３つの周囲導電性セグメントがあり（例えば、３つのギャップを伴う構成）、４つの周囲導電性セグメントがあり（例えば、４つのギャップを伴う構成）、等々である。このようにして形成される周囲導電性ハウジング構造体１６のセグメントは、装置１０のアンテナの部分を形成する。
【００２３】
典型的なシナリオにおいて、装置１０は、上部及び下部アンテナを有する（一例として）。上部アンテナは、例えば、領域２２において装置１０の上端に形成される。下部アンテナは、例えば、領域２０において装置１０の下端に形成される。アンテナは、同じ通信帯域、重畳する通信帯域、又は個別の通信帯域をカバーするように別々に使用される。アンテナは、アンテナダイバーシティ構成、又は多入力・多出力（ＭＩＭＯ）アンテナ構成を実施するのに使用される。
【００２４】
装置１０のアンテナは、当該通信帯域をサポートするのに使用される。例えば、装置１０は、ローカルエリアネットワーク通信、ボイス及びデータセルラー電話通信、グローバルポジショニングシステム（ＧＰＳ）通信、又は他の衛星ナビゲーションシステム通信、Ｂｌｕｅｔｏｏｔｈ（登録商標）通信、等をサポートするためのアンテナ構造体を含む。
【００２５】
図２は、図１の装置１０に使用される規範的コンポーネントを示す概略図である。図２に示すように、装置１０は、ストレージ・処理回路２８のような制御回路を備えている。ストレージ・処理回路２８は、ハードディスクドライブストレージ、不揮発性メモリ（例えば、ソリッドステートドライブを形成するように構成されたフラッシュメモリ又は他の電気的にプログラム可能なリードオンリメモリ）、揮発性メモリ（例えば、スタティック又はダイナミックランダムアクセスメモリ）、等のストレージを含む。ストレージ・処理回路２８の処理回路は、装置１０の動作を制御するのに使用される。この処理回路は、１つ以上のマイクロプロセッサ、マイクロコントローラ、デジタル信号プロセッサ、特定用途向け集積回路、等をベースとしている。
【００２６】
ストレージ・処理回路２８は、装置１０のソフトウェア、例えば、インターネットブラウジングアプリケーション、ボイスオーバーインターネットプロトコル（ＶＯＩＰ）電話コールアプリケーション、ｅ−メールアプリケーション、メディアプレイバックアプリケーション、オペレーティングシステムファンクション、等を実行するのに使用される。外部装置との相互作用をサポートするために、ストレージ・処理回路２８は、通信プロトコルの実施に使用される。ストレージ・処理回路２８を使用して実施される通信プロトコルは、インターネットプロトコル、ワイヤレスローカルエリアネットワークプロトコル（例えば、ＩＥＥＥ８０２．１１プロトコル、ＷｉＦｉ（登録商標）とも称される）、他のショートレンジワイヤレス通信リンクのためのプロトコル、例えば、Ｂｌｕｅｔｏｏｔｈ（登録商標）プロトコル、セルラー電話プロトコル、ＭＩＭＯプロトコル、アンテナダイバーシティプロトコル、等を含む。
【００２７】
入力／出力回路３０は、入力／出力装置３２を含む。入力／出力装置３２は、データを装置１０へ供給するのを許し、且つデータを装置１０から外部装置へ供給するのを許すために使用される。入力／出力装置３２は、ユーザインターフェイス装置、データポート装置、及び他の入力／出力コンポーネントを含む。例えば、入力／出力装置は、タッチセンサ、タッチセンサ能力をもたないディスプレイ、ボタン、ジョイスティック、クリックホイール、スクロールホイール、タッチパッド、キーパッド、キーボード、マイクロホン、カメラ、ボタン、スピーカ、状態インジケータ、光源、オーディオジャック及び他のオーディオポートコンポーネント、デジタルデータポート装置、光センサ、運動センサ（加速度計）、キャパシタンスセンサ、接近センサ、等を含む。
【００２８】
入力／出力回路３０は、外部装置とワイヤレス通信するためのワイヤレス通信回路３４を備えている。このワイヤレス通信回路３４は、１つ以上の集積回路で形成された高周波（ＲＦ）トランシーバ回路、電力増幅回路、低ノイズ入力増幅器、受動的ＲＦコンポーネント、１つ以上のアンテナ、伝送線、及びＲＦワイヤレス信号を取り扱う他の回路を含む。又、ワイヤレス信号は、光を使用して（例えば、赤外線通信を使用して）送信することもできる。
【００２９】
ワイヤレス通信回路３４は、種々の高周波通信帯域を取り扱うための高周波トランシーバ回路９０を含む。例えば、回路３４は、トランシーバ回路３６、３８及び４２を含む。トランシーバ回路３６は、ＷｉＦｉ（登録商標）（ＩＥＥＥ８０２．１１）通信のために２．４ＧＨｚ及び５ＧＨｚ帯域を取り扱い、そして２．４ＧＨｚのＢｌｕｅｔｏｏｔｈ（登録商標）通信帯域を取り扱う。回路３４は、７００から９６０ＭＨｚの低い通信帯域、１７１０から２１７０ＭＨｚの中間帯域、及び２３００から２７００ＭＨｚの高い帯域、又は７００ＭＨｚないし２７００ＭＨｚの他の通信帯域或いは他の適当な周波数のような周波数範囲のワイヤレス通信を取り扱うためにセルラー電話トランシーバ回路３８を使用する（一例として）。回路３８は、ボイスデータ及び非ボイスデータを取り扱う。ワイヤレス通信回路３４は、必要に応じて、他のショートレンジ及びロングレンジのワイヤレスリンクのための回路を含む。例えば、ワイヤレス通信回路３４は、６０ＧＨｚのトランシーバ回路、テレビ及びラジオ信号を受信するための回路、ページングシステムトランシーバ、近フィールド通信（ＮＦＣ）回路、等を含む。ワイヤレス通信回路３４は、１５７５ＭＨｚのＧＰＳ信号を受信するか又は他の衛星ポジショニングデータを取り扱うためのＧＰＳ受信回路４２のようなグローバルポジショニングシステム（ＧＰＳ）受信装置を備えている。ＷｉＦｉ（登録商標）及びＢｌｕｅｔｏｏｔｈ（登録商標）リンク並びに他のショートレンジワイヤレスリンクでは、数十又は数百フィートにわたってデータを搬送するためにワイヤレス信号が典型的に使用される。セルラー電話リンク及び他のロングレンジリンクでは、数千フィート又はマイルにわたってデータを搬送するためにワイヤレス信号が典型的に使用される。
【００３０】
ワイヤレス通信回路３４は、アンテナ４０を備えている。アンテナ４０は、適当なアンテナ形式を使用して形成される。例えば、アンテナ４０は、ループアンテナ構造、パッチアンテナ構造、逆Ｆ字アンテナ構造、スロットアンテナ構造、平坦逆Ｆ字アンテナ構造、螺旋アンテナ構造、それら設計のハイブリッド、等から形成される共振素子を伴うアンテナを含む。異なる帯域及び帯域の組み合わせに対して異なる形式のアンテナを使用することができる。例えば、ローカルワイヤレスリンクアンテナを形成するのにある形式のアンテナが使用され、そしてリモートワイヤレスリンクアンテナを形成するのに別の形式のアンテナが使用される。
【００３１】
図３に示すように、ワイヤレス回路３４のトランシーバ回路９０は、経路９２のような経路を使用してアンテナ構造体４０に結合される。ワイヤレス回路３４は、制御回路２８に結合される。制御回路２８は、入力／出力装置３２に結合される。入力／出力装置３２は、装置１０からの出力を供給し、そして装置１０の外部のソースから入力を受け取る。
【００３２】
アンテナ構造体４０に当該通信周波数をカバーする能力を与えるために、アンテナ構造体４０には、フィルタ回路のような回路（例えば、１つ以上の受動的フィルタ及び／又は１つ以上の同調可能なフィルタ回路）が設けられる。キャパシタ、インダクタ及び抵抗器のような個別コンポーネントがフィルタ回路に合体される。又、パターン化された金属構造体から、容量性構造体、誘導性構造体及び抵抗性構造体も形成される（例えば、アンテナの一部分）。当該通信帯域にわたってアンテナを同調するために、同調可能なコンポーネント１０２のような調整可能な回路が、必要に応じて、アンテナ構造体２６に設けられる。同調可能なコンポーネント１０２は、同調可能なインダクタ、同調可能なキャパシタ、又は他の同調可能なコンポーネントを含む。そのような同調可能なコンポーネントは、固定コンポーネントのスイッチ及びネットワーク、関連分布キャパシタンス及びインダクタンスを発生する分布金属構造体、可変キャパシタンス及びインダクタンス値を発生する可変ソリッドステート装置、同調可能なフィルタ、又は他の適当な同調可能な構造体をベースとする。装置１０の動作中に、制御回路２８は、経路９３のような１つ以上の経路に制御信号を発生し、この制御信号は、同調可能なコンポーネント１０２に関連したインダクタンス値、キャパシタンス値又は他のパラメータを調整し、それにより、望ましい通信帯域をカバーするようにアンテナ構造体を同調させる。
【００３３】
経路９２は、１つ以上の伝送線を含む。例えば、図３の信号経路９２は、線９４のような正の信号導体及び線９６のような接地信号導体を有する伝送線である。線９４及び９６は、同軸ケーブル又はマイクロストリップ伝送線の一部分を形成する（一例として）。インダクタ、抵抗器及びキャパシタのようなコンポーネントで形成されるマッチングネットワークは、アンテナ構造体４０のインピーダンスを伝送線９２のインピーダンスにマッチングさせるのに使用される。マッチングネットワークは、個別のコンポーネント（例えば、表面取り付け技術のコンポーネント）として設けられてもよいし、ハウジング構造体、プリント回路板構造体、プラスチック支持体上のトレース、等から形成されてもよい。そのようなコンポーネントは、アンテナ構造体４０にフィルタ回路を形成するのにも使用される。
【００３４】
伝送線９２は、アンテナ構造体４０に関連したアンテナフィード構造体に結合される。一例として、アンテナ構造体４０は、逆Ｆ字アンテナ、スロットアンテナ、ハイブリッド逆Ｆ字スロットアンテナ、又は端子９８のような正のアンテナフィード端子及び接地アンテナフィード端子１００のような接地アンテナフィード端子を伴うアンテナフィードを有する他のアンテナを形成する。正の伝送線導体９４は、正のアンテナフィード端子９８に結合され、そして接地伝送線導体９６は、接地アンテナフィード端子９２に結合される。必要に応じて、他の形式のアンテナフィード構成体が使用される。図３の規範的フィード構成は、例示に過ぎない。
【００３５】
図４は、装置１０のアンテナ４０を実施するのに使用される規範的な逆Ｆ字型アンテナ構造体の図である。図４の逆Ｆ字型アンテナ４０は、アンテナ共振素子１０６及びアンテナ接地部（接地平面）１０４を有する。アンテナ共振素子１０６は、アーム１０８のような主共振素子アームを有する。アーム１０８の長さは、アンテナ４０が望ましい動作周波数で共振するように選択される。例えば、アーム１０８の長さは、アンテナ４０の望ましい動作周波数における波長の１／４である。アンテナ４０は、高調波の周波数でも共振を示す。
【００３６】
主共振素子アーム１０８は、戻り路１１０により接地部１０４に結合される。アンテナフィード１１２は、正のアンテナフィード端子９８及び接地アンテナフィード端子１００を含み、そしてアーム１０８と接地部１０４との間で戻り路１１０に平行に延びる。必要に応じて、図４の規範的アンテナ４０のような逆Ｆ字アンテナは、２つ以上の共振アーム岐路を有するか（例えば、複数の共振帯域での動作をサポートするための複数周波数共振を生成するために）、又は他のアンテナ構造を有する（例えば、寄生アンテナ共振素子、アンテナの同調をサポートするための同調可能なコンポーネント、等）。
【００３７】
図５は、同調可能なアンテナを実施するのに使用される形式の規範的な逆Ｆ字アンテナ構成を示す図である。図５に示すように、アンテナ４０には、インダクタＬが設けられ、これは、共振素子１０６のアンテナ共振素子アーム１０８の一部分（例えば、アーム１０８の先端）をアンテナ接地部１０４に結合する。インダクタＬは可変インダクタである。例えば、インダクタＬは、１つ以上のトランジスタ又は他のスイッチング回路及び１組の固定インダクタから形成された調整可能なインダクタである。装置１０の動作中に、制御回路２８は、スイッチング回路を調整する（例えば、スイッチング回路のトランジスタスイッチを開／閉する）制御信号を発生し、これにより、１組の固定インダクタの望ましいパターンを使用したりしなかったりするよう切り換えて、インダクタＬのインダクタンス値を調整する。そのような調整は、アンテナ４０の周波数応答を同調することが望まれるとき（例えば、アンテナ４０の低帯域共振を同調することが望まれるとき、アンテナ４０の中間帯域共振を同調することが望まれるとき、等に）インダクタＬのインダクタンスを変更するために行われる。例えば、Ｌの値の増加は、アンテナ４０が動作する通信帯域（１つ又は複数）の周波数を上げるために（例えば、低帯域共振周波数又は中間帯域共振周波数を上げるために）行われる。インダクタＬのような１つ以上のインダクタが、アーム１０８と接地部１０４との間でアーム１０８の長さに沿った１つ以上の位置に結合される。図５の構成は、例示に過ぎない。
【００３８】
図６は、同調可能なアンテナを実施するのに使用されるキャパシタを伴う規範的な逆Ｆ字アンテナ構造体の図である。図６に示すように、アンテナ４０には、キャパシタＣが設けられ、これは、共振素子１０６のアンテナ共振素子アーム１０８の先端部分をアンテナ接地部１０４に結合する。又、キャパシタＣのようなキャパシタは、他の位置でアーム１０８に結合される。キャパシタＣは、固定キャパシタであるか、又は可変キャパシタである。例えば、キャパシタＣは、１つ以上のスイッチ又は他のスイッチング回路と、１組の固定キャパシタ（例えば、プログラム可能なキャパシタ）又はバラクタから形成される。装置１０の動作中に、制御回路２８は、スイッチング回路のスイッチを開／閉して、望ましいキャパシタを使用したりしなかったりするよう切り換えるか、さもなければ、キャパシタＣを調整する制御信号を発生し、それにより、キャパシタＣにより示されるキャパシタンス値を変化させる。そのような調整は、アンテナ４０の周波数応答を同調することが望まれるとき（例えば、アンテナ４０の低帯域共振を同調することが望まれるとき、アンテナ４０の中間帯域共振を同調することが望まれるとき、又はアンテナ４０の高帯域共振を同調することが望まれるとき）キャパシタンスＣのキャパシタンスを変更するために行われる。例えば、Ｃの値の増加は、アンテナ４０が動作する通信帯域（１つ又は複数）の周波数範囲を下げるために（例えば、高帯域共振周波数を下げるために）行われる。キャパシタＣは、アーム１０８の先端に配置される必要がない。例えば、アンテナ４０にキャパシタＣを含ませることに関連した共振周波数の低下は、キャパシタＣをフィード１１２に接近して配置することで改善できる。必要に応じて、アンテナ４０は、一対の固定キャパシタンスＣ（例えば、周囲構造体１６のセグメントのような周囲導電性構造体から形成された２岐路逆Ｆ字アンテナ共振素子の各端におけるギャップ１８に関連した固定キャパシタンス）を使用して実施することができ、そして可変キャパシタは、省略できる（一例として）。
【００３９】
一般的に、アンテナ４０は、１つ以上の調整可能なコンポーネント（調整可能なインダクタ、調整可能なキャパシタ、等）を有する。図５及び６の構成は、単なる例示に過ぎない。
【００４０】
アンテナ４０は、スロットアンテナ共振素子を含む。図７に示すように、例えば、アンテナ４０は、アンテナ接地部１０４内に形成されたスロット１１４のような開口を有するスロットアンテナである。スロット１１４には、空気、プラスチック及び／又は他の誘電体が充填される。スロット１１４の形状は、まっすぐでもよいし、又は１つ以上の屈曲部を有してもよい（即ち、スロット１１４は、曲がりくねった経路をたどる細長い形状を有してもよい）。アンテナ４０のためのアンテナフィードは、正のアンテナフィード端子９８及び接地アンテナフィード端子１００を含む。これらフィード端子９８及び１００は、例えば、スロット１１４の対向辺（例えば、対向長辺）に配置される。図７のスロットアンテナ共振素子１１４のようなスロットベースのアンテナ共振素子は、アンテナ信号の波長がスロットの周囲に等しい周波数においてアンテナ共振を与える。狭いスロットでは、スロットアンテナ共振素子の共振周波数は、スロットの長さが半波長に等しい信号周波数に関連している。スロットアンテナの周波数応答は、同調可能なインダクタ又は同調可能なキャパシタのような１つ以上の同調可能なコンポーネントを使用して同調される。これらのコンポーネントは、スロットの対向辺に結合された端子を有する（即ち、同調可能なコンポーネントがスロットを橋絡する）。必要に応じて、同調可能なコンポーネントは、スロット１１４の１つの辺の長さに沿った各位置に結合された端子を有する。これら構成を組み合わせて使用してもよい。
【００４１】
必要に応じて、アンテナ４０は、ハウジング１２の部分のような導電性装置構造体を合体する。例えば、周囲導電性ハウジング構造体１６は、ギャップ１８（例えば、プラスチック又は他の誘電体が充填されるセグメントの隣接端間のスペース）によって互いに分離された図８のセグメント１６−１、１６−２及び１６−３のような複数のセグメントを含む。図８のアンテナ４０では、セグメント１６−１は、装置１０の全周に延びる周囲導電性ハウジング部材（例えば、ステンレススチール部材又は他の周囲金属ハウジング構造体）のセグメントを形成するステンレススチール又は他の金属の片から形成される。
【００４２】
セグメント１６−１は、逆Ｆ字アンテナのためのアンテナ共振アーム１０８を形成する。例えば、セグメント１６−１は、低周波数通信帯域（低帯域ＬＢ）におけるアンテナ応答に貢献する長い岐路、及び中間周波数通信帯域（中間帯域ＭＢ）におけるアンテナ応答に貢献する短い岐路を有する二重帯域逆Ｆ字アンテナ共振素子を形成する。この形式の二重帯域逆Ｆ字アンテナ構造体は、Ｔ形状アンテナ又はＴアンテナとも称される。金属片のような戻り経路導体は、周囲導電性セグメント１６−１（即ち、Ｔアンテナ共振素子の主共振素子アーム）と、アンテナ接地部１０４との間に戻り経路１１０を形成するのに使用される。
【００４３】
アンテナ接地部１０４は、装置１０の中央部（例えば、図１のディスプレイ１４の能動的領域ＡＡの下に横たわる装置の部分）に実質的に長方形のアンテナ接地平坦部分のような接地構造体を有する。又、アンテナ接地部１０４は、装置１０の主アンテナ接地領域から外方に延びる接地平面延長部１０４Ｅのような部分も有する。この接地平面延長部１０４Ｅは、下端領域２０のような装置１０の端領域へと突出する。アンテナ接地部１０４の接地平面延長部１０４Ｅは、アンテナ接地部１０４の主部分及び周囲セグメント１６−１から、アンテナスロット１１４を形成する開口により分離される。アンテナスロット１１４は、アンテナフィード１１２を使用して（即ち、スロット１１４の対向辺のアンテナフィード端子、例えば、正のアンテナフィード端子９８及び接地アンテナフィード端子１００を使用して）供給される。アンテナスロット１０８の周囲の大きさは、スロット１１４が共振する周波数を決定し、それ故、アンテナ４０の望ましい共振（セグメント１６−１から形成されるＴアンテナに関連した低帯域共振ＬＢ及び中間帯域共振ＭＢを補足する高帯域共振ＨＢ）を発生するのに使用される。
【００４４】
装置１０のアンテナ４０を動作するとき、周囲導電性ハウジング構造体１６のセグメント１６−１から形成されたＴアンテナ（即ち、逆Ｆ字アンテナ）及びスロット１１４から形成されるスロットアンテナは、両方とも、アンテナの全体的な応答に貢献する。２つの異なる形式のアンテナがアンテナ４０の動作に貢献するので（即ち、逆Ｆ字アンテナ部分及びスロットアンテナ部分）、アンテナ４０は、ハイブリッド逆Ｆ字スロットアンテナ又はハイブリッドアンテナとも称される。
【００４５】
必要に応じて、インダクタ及び／又はキャパシタのような任意の電気的コンポーネントがアンテナ４０に結合される。例えば、インダクタＬ１、Ｌ２及びＬ３のような１つ以上のインダクタがスロット１１４を橋絡するか、又はスロット１１４の周囲に沿った異なる位置に結合され、及び／又は１つ以上のキャパシタがスロット１１４を橋絡するか、又はスロット１１４の周囲に沿った異なる位置に結合される。キャパシタンスは、個別コンポーネント（キャパシタ）により形成されるか、又は図８の金属構造体により発生される。例えば、ギャップ１８により接地部１０４から分離される周囲導電性構造体１６の金属部分は、共振素子１０８の左右の端にキャパシタンスを発生する。インダクタＬ１は、左側のギャップ１８を橋絡し、そして左側のギャップ１８に関連したキャパシタンスを補償する上で役立つ。インダクタＬ３は、右側のギャップ１８を橋絡し、そして右側ギャップ１８に関連したキャパシタンスを補償する上で役立つ。インダクタＬ２は、種々の異なるインダクタンス値を発生するように制御回路２８によって調整できる調整可能なインダクタである。インダクタＬ２の値の調整は、例えば、アンテナ４０のための低帯域同調を遂行するのに使用される。
【００４６】
一般的に、装置１０は、１つ以上のアンテナ４０を収容し、各アンテナは、図８に示す形式の構造体又は他の適当なアンテナ構造体（例えば、逆Ｆ字アンテナ構造体、スロットアンテナ構造体、ハイブリッドアンテナ構造体、パッチアンテナ構造体、等）を含む。装置１０の各アンテナ４０は、図８の構造体１６−１のような周囲導電性ハウジング構造体又は他の導電性アンテナ構造体（例えば、共振素子１０８及び／又はアンテナ接地部１０４のようなアンテナ共振素子を形成するための金属ハウジング構造体又は他の構造体）を含む。図８に示すアンテナ４０の規範的構成は、単なる例示に過ぎない。
【００４７】
装置１０を１つ以上の他の電子装置（外部電子装置又は付属品とも称される）に関連して使用することが要望される。装置１０と共に使用される付加的な電子装置は、ベースステーション、充電ステーション、ヘッドホン、イヤホン、スピーカ、オーディオ装置、コンピュータ、タブレットコンピュータ、ポータブル装置、例えば、腕時計及びセルラー電話装置、ウェアラブル電子装置、及び他の付属品を含む。
【００４８】
ヘッドホンのような付属品（例えば、イヤホン、オーバーイヤ(over-the-ear)ヘッドホン、等）は、ケーブル又は他の信号経路を使用して電子装置１０に結合される。ケーブル又は他の信号経路は、電気コネクタで終端される。電気コネクタは、プラグ（例えば、オーディオプラグ又はデータプラグのような雄型コネクタ）でもよいし又は他の適当なコネクタ構造体でもよい。コネクタは、オーディオコネクタ、デジタル信号を搬送する接点を含むコネクタ、オーディオ信号を搬送する接点を含むコネクタ、アナログ信号を搬送する接点を含むコネクタ、及び／又は電力信号を搬送する接点を含むコネクタである。
【００４９】
プラグ又は他のコネクタは、ヘッドホンセット又は他の付属品にピグテイル接続されたケーブルの端に設けられるか、スタンドアローンケーブル（例えば、一端が付属品に差し込まれ且つ反対端が装置１０に接続されるコネクタを伴うケーブル又は延長ケーブル）の一部分であるか、又は付属品の一部分として（例えば、ドックの一部分として）設けられる。装置１０と共に動作する外部装置が、オーディオジャックで終端される関連ケーブルを有するヘッドホンセット又は他の付属品である構成は、一例としてここに時々述べる。しかしながら、これは、単なる例示に過ぎない。一般的に、装置１０は、コネクタを有する適当な外部電子装置と協働して動作する。
【００５０】
付属品に関連したオーディオプラグ又は他のコネクタが装置１０に差し込まれるとき、周囲導電性構造体１６−１から形成されたアンテナ共振素子構造体のようなアンテナ構造体は、付属品のプラグ、ケーブル及び他の導電性部分に電磁結合される。例えば、ヘッドホンケーブル及びオーディオプラグは、容量性結合を経て周囲導電性構造体１６−１に結合される。これは、付属品とアンテナ４０との間に干渉のおそれを引き起こす。というのは、周囲導電性構造体１６−１からのアンテナ電流がオーディオプラグ及び他の導電性付属品構造体を通して流れるからである。付属品が存在しないときには、アンテナ４０は、付属品の存在により妨げられず、通常に動作する。しかしながら、ヘッドホンセット又は他の付属品が装置１０の周囲導電性構造体１６−１付近でオーディオジャックに差し込まれると、アンテナ４０との干渉のおそれが生じる。
【００５１】
付属品が装置１０に差し込まれるかどうかに関わらずアンテナ４０が満足に動作することを保証するために、干渉軽減回路がオーディオジャックに結合される。この回路は、オーディオプラグがオーディオジャックに挿入されたときに寄生アンテナ電流を既知の接地位置へ引き出す高周波短絡路を形成する。干渉軽減回路は、オーディオプラグが存在する中でアンテナ４０が満足に動作することを保証するように同調される。プラグが存在しないときには、干渉軽減回路は、アンテナの望ましい動作を妨げることはない。それ故、干渉軽減回路は、オーディオプラグが存在するとき及び不存在のときの両方にアンテナ４０を満足に動作させることができる。
【００５２】
図９は、ケーブル及びオーディオプラグを有する付属品を備えた規範的システムを示す図である。又、図９の規範的システムは、オーディオプラグを受け入れるための関連オーディオジャックも装置１０に備えている。図９に示すように、装置１０は、オーディオジャックコネクタ１３４のようなコネクタを備えている。このコネクタ１３４は、プラグ１２８がオーディオジャック１３４に挿入されたとき付属品１２８のプラグ１２８における対応接点１３０に嵌合する接点１３８を有する。信号線１３６は、オーディオジャック１３４のようなコネクタからの信号を、オーディオ回路及び他の入力／出力回路３０のような装置１０の回路へ配布するのに使用される。図９の例では、オーディオジャック１３４は、４つの接点（ピン）１３８を有する。これは、単なる例示に過ぎない。オーディオジャック１３４は、適当な数の接点を有する（例えば、１つ以上、２つ以上、３つ以上、４つ以上、５つ以上、６つ以上、１０以上、等）。プラグ１２８のような付属品のコネクタも、同様に、適当な数の接点１３０を有する（例えば、１つ以上、２つ以上、３つ以上、４つ以上、５つ以上、６つ以上、１０以上、等）。絶縁構造体１３２は、各接点１３０を互いに分離する。オーディオプラグ１２８は、１／８”オーディオプラグ、例えば、チップ・リング・スリーブ（ＴＲＳ）コネクタ、チップ・リング・リング・スリーブ（ＴＲＲＳ）、又は他の適当なコネクタである。図９のオーディオプラグ構成は、単なる例示に過ぎない。
【００５３】
付属品１２０は、ケーブル１２４のようなケーブルを含む。ケーブル１２４は、接点１３０をそれに対応するコンポーネント１２２、例えば、左右のスピーカ（例えば、イヤホン、等）、ボタン（例えば、ヘッドセットのボタンコントローラのボタン）、マイクロホン（例えば、ノイズ打消しマイクロホン及びその関連制御回路）、集積回路、及び付属品１２０内の他の電子コンポーネント１２２に結合する信号経路１２６を含む。ケーブル１２４は、コンポーネント１２２の相手コネクタに差し込まれるか又はコンポーネント１２２にピグテイル接続されるコネクタを有する。
【００５４】
オーディオジャック１３４は、装置１０において相手のオーディオプラグ１２８をオーディオジャック１３４に挿入できるようにする位置にマウントされる。例えば、オーディオジャック１３４は、ハウジング１２の周囲導電性構造体１６−１の開口１４０のようなハウジング開口に整列してマウントされる（即ち、ジャック１３４は、ハウジング１２の構造体１６−１又は他の構造体の開口にマウントされる）。これは、アンテナ４０（構造体１６−１を経て流れるアンテナ電流をもつ）とオーディオプラグ１２８との間の結合を与える（即ち、プラグ１２８がジャック１３４内に挿入されるとき）。オーディオプラグ１２８及びケーブル１２４がアンテナ４０の動作に関連したアンテナ電流の一部分を搬送する潜在性は、オーディオプラグ１２８が装置１０に存在するときアンテナ４０の性能が悪影響を受ける危険性を生じさせる。
【００５５】
この危険性は、干渉軽減回路を装置１０に合体することによって減少又は排除される。干渉軽減回路は、オーディオジャック１３４の付近にインダクタ及びキャパシタのような回路コンポーネントを使用して実施される。特に、干渉の影響は、接点１３８に結合される干渉軽減回路を使用して軽減される。干渉軽減回路は、例えば、接点１３８と接地部との間に挿入される。干渉軽減回路には（例えば、オーディオ回路が接点１３８を経て信号を送信及び受信できるように）装置１０内のオーディオ回路及び他の入力／出力回路３０が結合される。
【００５６】
図１０は、オーディオプラグ１２８の存在がアンテナ４０の動作を妨げるのを防止するために規範的な干渉軽減回路１７０がオーディオジャック１３４に結合された装置１０の一部分を示す図である。図１０の実施例では、干渉軽減回路１７０は、インダクタ１４８（１つ又は複数）及びバイパスキャパシタ１４６（１つ又は複数）を含む。
【００５７】
図１０に示すように、オーディオジャック１３４は、装置１０の電子装置ハウジング１２の周囲導電性構造体１６−１にマウントされる。周囲導電性構造体１６−１は、アンテナ４０のためのアンテナ共振素子１０８又は他の導電性アンテナ構造体を形成する。付属品１２０を装置１０に結合することが望まれるときには、ユーザは、周囲導電性ハウジング構造体１６−１の開口を通してオーディオジャック１３４へオーディオプラグ１２８を挿入する（例えば、図９の開口１４０を参照）。オーディオプラグ１２８の金属部分が構造体１６−１へ短絡しないように保証するために絶縁体１５０（例えば、プラスチック、ガラス、セラミック又は他の誘電体材料）が構造体１６−１の開口を取り巻く。図１０のプラグ１２８には４つの接点１３０があり、そのうちの２つは、接点１３８及び干渉軽減回路１７０に結合される。これは、単なる例示に過ぎない。プラグ１２８は、適当な数の接点１３０を有し、そして適当な数の接点１３０が干渉軽減回路の各インダクタ及びキャパシタに接続される。
【００５８】
プラグ１２８の接点１３０の１つ以上が、オーディオジャック１３４の１つ以上の対応接点、例えば、規範的な接点１３８に電気的に接続される。直列結合のインダクタ１４４及び１４８を通して接点１３８（ひいては、接点１３０）にオーディオ回路１４２が結合される。各インダクタ１４４は、ノードＮの各１つにおいてインダクタ１４８の各１つに結合された端子を有する。ノードＮの各１つと接地部１０４との間にはバイパスキャパシタ１４６が各々結合される。オーディオプラグ１２８及び構造体１６−１が接近しているために、オーディオプラグ１２８（例えば、ケーブル１２４及びオーディオプラグ１２８の接点１３０及び他の信号路に関連した金属）は、構造体１６−１に容量性結合される。その結果、構造体１６−１からのアンテナ電流Ｉは、オーディオプラグ１２８へ流れ、そして接点１３８及び干渉軽減回路１７０を経て接地部１０４へ流れる。
【００５９】
オーディオ回路１４２は、インダクタ１４４及び干渉軽減回路１７０によりオーディオジャック１３４に結合される。インダクタ１４４は、高周波信号ブロッキングインダクタ（チョーク）として働き、アンテナ４０の動作に関連した高周波アンテナ信号がオーディオ回路１４２に到達するのを防止する。同時に、オーディオ回路１４２に関連したオーディオ信号は、インダクタ１４４（及びインダクタ１４８）を通過する。インダクタ１４４（及びインダクタ１４８及びキャパシタ１４６の回路）は、各カットオフ周波数がオーディオ信号周波数より高く（例えば、２０ｋＨｚより高く）且つ高周波信号周波数より低い（例えば、７００ＭＨｚより低い、１ＭＨｚより低い、等々）ローパスフィルタとして働く。
【００６０】
インダクタ１４４及びインダクタ１４８は、オーディオ回路１４２の入力／出力ポートと、オーディオジャック１３４の各接点１３８との間に直列に結合される。例えば、回路１４２の各入力／出力ポートと各接点１３８との間の各信号路において、インダクタ１４４がノードＮのインダクタ１４８に結合される。各インダクタ１４４は、その第１端子がオーディオ回路１４２のポートに接続され、そしてその第２端子がノードＮに接続されている。各インダクタ１４８は、その第１端子がノードＮに接続され、そしてその第２端子が接点１３８の１つに結合される。バイパスキャパシタ１４６は、各々、ノードＮと接地部１０４との間に結合される。キャパシタ１４６のサイズは、高周波アンテナ電流Ｉのような交流信号に対して接地部への低インピーダンス路を与えるに充分な大きさであるのが好ましい。
【００６１】
干渉軽減回路１７０は、オーディオプラグ１２８がジャック１３４及び装置１０から抜かれたとき及びオーディオプラグ１２８がジャック１３４及び装置１０内に存在するときの両方にアンテナ４０が同じ又は同様の性能を示すことを保証するように構成されるのが好ましい。プラグ１２８が存在しないとき、周囲導電性構造体１６−１内にアンテナ電流が流れる。図１１に示すように、フィード端子９８（アンテナ４０のフィード）と、構造体１６−１の端（例えば、図１１の例では、装置１０の右側にある構造体１６−１の端）との間の構造体１６−１の長さに関連した距離Ｌがある。オーディオプラグ１２８が存在しないときには、アンテナ４０のアンテナフィードとアンテナ共振素子１０８の端との間の距離Ｌにわたってアンテナ電流が流れる。アンテナ共振素子１０８のこの岐路の長さ（即ち、長さＬ）は、アンテナ４０の周波数応答に影響する（例えば、Ｌは、アンテナ４０の当該共振周波数における波長の約１／４である）。
【００６２】
オーディオプラグ１２８が装置１０に差し込まれたときに、寄生アンテナ電流が構造体１６−１からプラグ１２８及びジャック１３４へ引き出される。干渉軽減回路１７０が存在しない場合には、これら電流が有効距離Ｌ’にわたって流れる。図１１に示すように、オーディオジャック１３４の一部分（例えば、ジャック１３４の先端又はジャック１３４の他の部分）は、アンテナ接地部１０４に重畳する。その結果、オーディオジャック１３４（ひいては、プラグ１２８）と接地部１０４との間に結合キャパシタンスが生じる。ジャック１３４及び接地部１０４の重畳による接地部１０４とプラグ１２８との間のキャパシタンスのために、プラグ１２８からの信号は、構造体１６−１から接地部１０４へ流れる（有効共振素子長さＬ’で示す）。この経路にキャパシタンスが存在すると、距離Ｌ’の有効長さが電気的に増加する。この電流路の物理的長さ、及び接地部１０４とプラグ１２８との間の重畳（結合）キャパシタンスの存在による距離Ｌ’の有効長さの増加は、長さＬ’の大きさを長さＬより大きくする傾向がある。その結果、アンテナ４０の周波数応答は、望ましからぬことに悪化し、干渉軽減回路１７０が存在しないときに望まれるものより低い共振周波数へシフトされる。
【００６３】
しかしながら、干渉軽減回路１７０が存在すると、バイパスキャパシタ１４６は、プラグ１２８の結合アンテナ電流を接地部１０４へ直接通過させることができる（即ち、接地部１０４と重畳オーディオプラグ１２８との間の結合キャパシタンスを通過せずに）。インダクタ１４８の存在は、プラグ１２８がジャック１３４にあるときにアンテナ電流路の有効長さ（長さＬ”）のサイズを減少する上で役立ち、これにより、アンテナ共振が望ましいものとなることを保証する。キャパシタ１４６の大きさは、比較的大きい（例えば、５６ｐＦ；２０ｐＦ又は４０ｐＦより上の他の値；或いは７０ｐＦより下の値）。この比較的大きなサイズは、有効長さＬ”に著しい影響を及ぼすことなく、高周波信号を接地部１０４へ短絡できるようにする。インダクタ１４８の値（即ち、アンテナフィードから構造体１６−１及びプラグ１２８を通過して接地部へ至るアンテナ電流のための経路の有効長さＬ”が望ましいものであることを保証するために選択される値）は、例えば、２０ｎＨ以下、１０ｎＨ以下、等である。
【００６４】
インダクタ１４８は、固定インダクタ（即ち、インダクタ１４８のサイズは、装置１０の設計プロセスの一部分として選択される）であるか、及び／又は可変インダクタ（例えば、種々の動作条件の下でアンテナ性能を改善するために装置１０の制御回路によりリアルタイムで調整できるインダクタンス値を有するインダクタ）である。
【００６５】
各バイパスキャパシタ１４４のキャパシタンスのサイズ及び各シリーズインダクタ１４８のサイズを適切に選択することにより、アンテナ４０は、プラグイン及びプラグアウトの両条件のもとで満足に機能することができる。種々の異なる動作シナリオのもとでのアンテナ４０の性能が図１２に示されている。図１２のグラフにおいて、アンテナ性能（即ち、アンテナ効率）は、低周波数ｆａと高周波数ｆｂとの間の周波数に対して動作周波数ｆの関数としてプロットされている。周波数ｆａ及びｆｂは、例えば、７００ＭＨｚ及び９６０ＭＨｚ、或いはアンテナ４０の動作に関連した他の周波数である。
【００６６】
プラグ１２８が存在しないと、アンテナ４０は、アンテナ共振１６０を示す。この例では、共振１６０に関連したアンテナ周波数応答が、アンテナ４０の通常の望ましい周波数応答であり、そしてプラグ１２８が存在しないときに装置１０で得られる周波数応答である。
【００６７】
干渉軽減回路１７０が存在しない場合には、オーディオプラグ１２８が存在すると、プラグ１２８の位置及び形状のために且つプラグ１２８と接地部１０４との間の重畳に関連した結合キャパシタンスのためにＬより大きな有効長さＬ’を有する接地部１０４へのアンテナ電流路を生成する。公称長さＬに勝る有効経路長さＬ’のこの増加は、アンテナの離調を招く。特に、望ましいアンテナ共振１６０は、望ましい周波数より低い周波数へとシフトされ、そして図１２の悪化したアンテナ共振ピーク１６２で示すように、効率低下となる。
【００６８】
曲線１６２で示す形式の望ましからぬ性能悪化を回避するために、干渉軽減回路１７０が装置１０に合体される。バイパスキャパシタ１４６（１つ又は複数）が存在する場合には、アンテナ信号は、プラグ１２８と重畳接地部１０４との間の結合キャパシタンスを通らずに接地部１０４に接地される。キャパシタ１４６の値が比較的大きいので、アンテナ信号は、ケーブル１２４のワイヤ１２６に結合されるのではなく、バイパスキャパシタ１４６を通して接地部１０４へ引き出される傾向がある。しかしながら、バイパスキャパシタの存在と、接地部１０４へのバイパス経路の幾何学形状のために、共振１６０は、図１２のアンテナ共振１６４で示されたように、より高い周波数へシフトする傾向がある（インダクタ１４８が存在しない場合）。
【００６９】
アンテナ４０が望ましく機能することを保証するために、図１０の干渉軽減回路１７０に示すように、インダクタ１４８がキャパシタ１４６とプラグ１２８との間（即ち、キャパシタ１４６と接点１３８との間）に結合される。インダクタ１４８は、共振周波数同調インダクタとして働き、アンテナ４０の共振周波数を、図１２の共振曲線１６４で示された周波数から、図１２の共振曲線１６６の周波数へシフトする。図１２に示すように、プラグ１２８がアンテナ４０に存在するときに得られるアンテナ共振１６６は、通常動作アンテナ共振１６０と同じであるか又はほぼ同じである。
【００７０】
一実施形態によれば、アンテナ共振素子及びアンテナ接地部から形成されたアンテナと；接点を有し、相手コネクタを受け入れるように構成され、且つアンテナ接地部に容量性結合された電気コネクタと；アンテナ接地部と電気コネクタとの間に結合され、且つ少なくとも１つのキャパシタを含む干渉軽減回路と；を備えた装置が提供される。
【００７１】
別の実施形態によれば、前記キャパシタは、前記アンテナ接地部に結合された第１端子と、前記干渉軽減回路のノードに結合された第２端子とを有する。
【００７２】
別の実施形態によれば、前記干渉軽減回路は、前記ノードに結合された第１端子と、前記接点の１つに結合された第２端子とを有するインダクタを備えている。
【００７３】
別の実施形態によれば、装置は、回路を備えると共に、その回路とノードとの間に結合された高周波信号ブロッキングインダクタも備えている。
【００７４】
別の実施形態によれば、前記回路は、オーディオ回路を含む。
【００７５】
別の実施形態によれば、前記コネクタは、オーディオジャックである。
【００７６】
別の実施形態によれば、前記アンテナ共振素子は、周囲導電性電子装置ハウジング構造体を含む。
【００７７】
別の実施形態によれば、前記周囲導電性電子装置ハウジング構造体は、前記オーディオジャックと整列された開口を有する。
【００７８】
別の実施形態によれば、前記アンテナ共振素子は、逆Ｆ字アンテナ共振素子を含む。
【００７９】
別の実施形態によれば、前記装置は、前記アンテナ共振素子と前記アンテナ接地部との間に結合された調整可能なインダクタを更に備えている。
【００８０】
別の実施形態によれば、前記コネクタの接点は、第１接点及び第２接点を含み、前記干渉軽減回路は、少なくとも第１及び第２のインダクタを含み、第１インダクタは、第１接点に接続され、そして第２インダクタは、第２接点に接続される。
【００８１】
別の実施形態によれば、前記キャパシタは、１組の第１及び第２キャパシタのうちの１つであり、その第１キャパシタは、第１ノードにおいて第１インダクタに接続された端子を有し、そしてその第２のバイパスキャパシタは、第２ノードにおいて第２インダクタに接続された端子を有する。
【００８２】
別の実施形態によれば、前記装置は、第１及び第２ポートを有するオーディオ回路と；前記第１ポートと第１ノードとの間に結合された第３インダクタと；前記第２ポートと第２ノードとの間に結合された第４インダクタと；を備えている。
【００８３】
別の実施形態によれば、前記コネクタは、少なくとも３つの接点を有するオーディオジャックを含む。
【００８４】
一実施形態によれば、導電性ハウジング構造体と；該導電性ハウジング構造体の少なくとも一部分を含むアンテナ共振素子、及びアンテナ接地部から形成されたアンテナと；導電性ハウジング構造体の開口にマウントされるオーディオコネクタであって、接点を有するオーディオコネクタと；ポートを有するオーディオ回路と；ノードにおいて接続され且つ前記ポートと接点との間に直列に結合された第１及び第２のインダクタと；前記ノードに結合されたキャパシタと；を備えた電子装置が提供される。
【００８５】
別の実施形態によれば、前記キャパシタは、前記ノードに接続された第１端子と、前記アンテナ接地部に接続された第２端子とを有する。
【００８６】
別の実施形態によれば、前記アンテナ共振素子は、ギャップによってアンテナ接地部から分離された逆Ｆ字アンテナ共振素子であり、前記電子装置は、前記逆Ｆ字アンテナ共振素子とアンテナ接地部との間でギャップを横切って結合された調整可能なインダクタを更に備えている。
【００８７】
別の実施形態によれば、第１及び第２のインダクタは、同調可能なインダクタである。
【００８８】
一実施形態によれば、開口を有する周囲導電性ハウジング構造体と；前記開口に整列され、第１及び第２の接点を有するオーディオジャックと；逆Ｆ字アンテナ共振素子から形成された逆Ｆ字アンテナ部分及びアンテナ接地部を有し、前記周囲導電性ハウジング構造体から形成され、前記逆Ｆ字型アンテナ共振素子とアンテナ接地部との間の開口から形成されたスロットアンテナ部分を有し、且つ前記逆Ｆ字アンテナ部分及びスロットアンテナ部分の両方にフィードするアンテナフィードを有するハイブリッド逆Ｆ字スロットアンテナと；アンテナ接地部に結合された第１端子を有し且つ第２端子も有する第１キャパシタと；第１接点に結合された第１端子を有し且つ第１キャパシタの第２端子に結合された第２端子を有する第１インダクタと；アンテナ接地部に結合された第１端子を有し且つ結合された第２端子を有する第２キャパシタと；第２接点に結合された第１端子を有し且つ第２キャパシタの第２端子に結合された第２端子を有する第２インダクタと；を備えた電子装置が提供される。
【００８９】
別の実施形態によれば、前記オーディオジャックは、アンテナ接地部に重畳する部分を有し、そして前記電子装置は、第１及び第２ポートを有するオーディオ回路と；その第１ポートと第１キャパシタの第２端子との間に結合された第３インダクタと；その第２ポートと第２キャパシタの第２端子との間に結合された第４インダクタと；を備えている。
【００９０】
以上の説明は、単なる例示に過ぎず、当業者であれば、ここに述べる実施形態の範囲及び精神から逸脱せずに種々の変更がなされるであろう。前記実施形態は、個々に実施されてもよいし又は任意の組み合わせで実施されてもよい。
【符号の説明】
【００９１】
１０：電子装置
１２：ハウジング
１４：ディスプレイ
１６：周囲ハウジング構造体
１６−１、１６−２、１６−３：セグメント
１８：ギャップ
２０、２２：領域
２４：ボタン
２６：スピーカポート
２８：ストレージ・処理回路
３０：入力／出力回路
３２：入力／出力装置
３４：ワイヤレス通信回路
３６：ローカルワイヤレストランシーバ回路
３８：リモートワイヤレストランシーバ回路
４０：アンテナ構造体
４２：ＧＰＳ受信回路
９０：トランシーバ回路
９２：伝送線
９４：正の信号導体
９６：接地信号導体
９８：正のアンテナフィード端子
１００：接地アンテナフィード端子
１０２：同調可能なコンポーネント
１０４：アンテナ接地部
１０６：アンテナ共振素子
１０８：主共振素子アーム
１１０：戻り路
１１２：アンテナフィード
１１４：スロット
１２０：付属品
１２４：ケーブル
１２６：信号経路
１２８：オーディオプラグ
１３０、１３８：接点
１３４：オーディオジャック
１３８：接点（ピン）
１４０：開口
１４２：オーディオ回路
１４４、１４８：インダクタ
１４６：バイパスキャパシタ
１５０：絶縁体
１７０：干渉軽減回路
【図１】
0003200908.tif 000003
【図２】
0003200908.tif 000004
【図３】
0003200908.tif 000005
【図４】
0003200908.tif 000006
【図５】
0003200908.tif 000007
【図６】
0003200908.tif 000008
【図７】
0003200908.tif 000009
【図８】
0003200908.tif 000010
【図９】
0003200908.tif 000011
【図１０】
0003200908.tif 000012
【図１１】
0003200908.tif 000013
【図１２】
0003200908.tif 000014